(57)【要約】【課題】従来の技術による諸問題を解決するための書き込みパワー校正装置及び関連方法を提供する。【解決手段】最適書き込みパワーを定める校正方法は、各々異なった複数の書き込みパワーで複数の第一データセットをＤＶＤにそれぞれ書き込み、ＤＶＤから読み取られた複数の第二データセットに対しパリティーコード復号手順を行い、第二データセットのパリティーコードに基づいて検出された複数のバイトエラー数を定め、第二データセットの対応する複数のバイトエラー数に基づいて最適書き込みパワーを定めるステップを含む。【選択図】図３
2007018685.tif 000002
【特許請求の範囲】
【請求項１】
データをＤＶＤに書き込むときの最適書き込みパワーを定める書き込みパワー校正方法であって、
各々異なった複数の書き込みパワーで複数の第一データセットをＤＶＤにそれぞれ書き込み、
ＤＶＤから読み取られた複数の第二データセットに対しパリティーコード復号手順を行い、第二データセットのパリティーコードに基づいて検出された複数のバイトエラー数を定め、
第二データセットの対応する複数のバイトエラー数に基づいて最適書き込みパワーを定めるステップを含み、そのうち第二データセットはＤＶＤに書き込まれた複数の第一データセットに対応することを特徴とする方法。
【請求項２】
前記各第一データセットはＥＣＣブロックの少なくとも１行に対応し、前記パリティーコード復号手順は、複数の第二データセットのＰＩコードを復号し、それによって複数の第二データセットに対応する複数のバイトエラー数を定めることを特徴とする請求項１記載の方法。
【請求項３】
前記各第一データセットはＥＣＣブロックの少なくとも１列に対応し、前記パリティーコード復号手順は、複数の第二データセットのＰＯコードを復号し、それによって複数の第二データセットの対応する複数のバイトエラー数を定めることを内容とすることを特徴とする請求項１記載の方法。
【請求項４】
前記最適書き込みパワーを定めるステップは更に、
複数の第二データセットの対応する複数のバイトエラー数及び複数の第一データセットの対応する複数の書き込みパワー間の特性を定め、
バイトエラー数の閾値を定め、
閾値に近いバイトエラー数で第一書き込みパワーを定め、
第一書き込みパワーに基づいて最適書き込みパワーを計算するステップからなることを特徴とする請求項１記載の方法。
【請求項５】
前記最適書き込みパワーを計算するステップは更に、
第一書き込みパワーに所定利得値をかけることによって最適書き込みパワーを計算するステップを含むことを特徴とする請求項４記載の方法。
【請求項６】
前記最適書き込みパワーを計算するステップは更に、
第一書き込みパワーに所定オフセット値を足すことによって最適書き込みパワーを計算するステップを含むことを特徴とする請求項４記載の方法。
【請求項７】
前記最適書き込みパワーを定めるステップは更に、
前記閾値に近いバイトエラー数に基づいて第二書き込みパワーを定め、
第二書き込みパワーと第一書き込みパワーの平均値に基づいて最適書き込みパワーを生成するステップを含むことを特徴とする請求項４記載の方法。
【請求項８】
データをＤＶＤに書き込むときの最適書き込みパワーを定める書き込みパワー校正装置であって、
複数の第一データセットをＤＶＤに書き込むレーザーを駆動するために利用される各々異なった複数の書き込みパワーを生成する、ステップパワー発生器と、
ＤＶＤから読み取られた各第二データセットに対しパリティーコード復号手順を行い、第二データセットのパリティーコードに基づいて検出された複数のバイトエラー数を定めるパリティーコード復号モジュールと、
第二データセットの対応する複数のバイトエラー数に基づいて最適書き込みパワーを定める最適書き込みパワー発生モジュールとを含み、そのうち第二データセットはＤＶＤに書き込まれた複数の第一データセットに対応することを特徴とする書き込みパワー校正装置。
【請求項９】
前記各第一データセットはＥＣＣブロックの少なくとも１行に対応し、前記パリティーコード復号モジュールは、複数の第二データセットのＰＩコードを復号し、それによって複数の第二データセットに対応する複数のバイトエラー数を定めることを特徴とする請求項８記載の書き込みパワー校正装置。
【請求項１０】
前記各第一データセットはＥＣＣブロックの少なくとも１列に対応し、前記パリティーコード復号モジュールは、複数の第二データセットのＰＯコードを復号し、それによって複数の第二データセットの対応する複数のバイトエラー数を定めることを特徴とする請求項８記載の書き込みパワー校正装置。
【請求項１１】
前記最適書き込みパワー発生モジュールは、複数の第二データセットの対応する複数のバイトエラー数及び複数の第一データセットの対応する複数の書き込みパワー間の特性を定め、バイトエラー数の閾値を定め、閾値に近いバイトエラー数で第一書き込みパワーを定め、更に第一書き込みパワーに基づいて最適書き込みパワーを計算することを特徴とする請求項８記載の書き込みパワー校正装置。
【請求項１２】
前記最適書き込みパワー発生モジュールは、第一書き込みパワーに所定利得値をかけることによって最適書き込みパワーを計算することを特徴とする請求項１１記載の書き込みパワー校正装置。
【請求項１３】
前記最適書き込みパワー発生モジュールは、第一書き込みパワーに所定オフセット値を足すことによって最適書き込みパワーを計算することを特徴とする請求項１１記載の書き込みパワー校正装置。
【請求項１４】
前記最適書き込みパワー発生モジュールは、前記特性に基づき前記閾値に近いバイトエラー数に対応する第二書き込みパワーを定め、第二書き込みパワーと第一書き込みパワーの平均値に基づいて最適書き込みパワーを計算することを特徴とする請求項１１記載の書き込みパワー校正装置。
【発明の詳細な説明】
【技術分野】
【０００１】
この発明はレーザー制御装置及び関連方法に関し、特にレーザーの最適書き込みパワーを定めるための書き込みパワー校正装置及び関連方法に関する。
【背景技術】
【０００２】
通常のＤＶＤ書き込みシステムは、ＤＶＤドライブ及び書き込み可能なＤＶＤからなる。ＤＶＤドライブはピックアップヘッドを有し、ピックアップヘッドはレーザービームを発して書き込み層を加熱することにより、データを書き込み可能なＤＶＤに書き込む。当業者に周知されている通り、書き込み層の特性はＤＶＤの書き込み層によって異なる。例えば、同じレーザービーム（パワーが同じもの）を別々のＤＶＤに当てれば、各々加熱レベルが異なるのは一般である。そのため、書き込み可能ＤＶＤの製作に際し、所望の書き込みパワーをデータ書き込み時の基準パワーとしてＤＶＤのリードイン領域に予め書き込むことが多い。なお、メーカーが異なるとはいえ、現在の書き込み可能ＤＶＤはいずれもＯＰＣ（最適パワー制御）に準拠している。ＯＰＣは、書き込みの正確性を確保すべく、最適書き込みパワーを定める手段の一つである。
【０００３】
ＯＰＣの実行手順については光ディスクに関する規格書を参照されたい。アメリカ特許第5841747号及び6031803号によれば、最適書き込みパワーを定める従来の書き込みパワー校正装置が掲示されている。該書き込みパワー校正装置では、まずメモリーユニットに複数の予備データセットを書き込み、次に複数の書き込みパワーで予備データセットをＤＶＤに書き込む。続いてＤＶＤから予備データセットを読み込み、読み込みの結果を複数の再生データセットとしてメモリーユニットに保存する。更に、予備データセットと再生データセットを比較回路で比較することによって、各再生データセットのバイトエラー数を検出する。注意すべきは、再生データセットは復号されていないものである。最後に再生データセットの最小バイトエラー数に対応する書き込みパワーに基づき、最適書き込みパワーを定める。
【０００４】
しかし、データセットを書き込む領域に欠陥があれば、バイトエラーの連続が生じてくる。図１を参照する。図１はバイトエラー数及び相応の書き込みパワーの特性を表す説明図である。図１によれば、欠陥によるスパイクが存在しているため、検出されたバイトエラー数が乱れ、それによって定められた最適書き込みパワーにはエラーが生じる。欠陥の影響を軽減すべく、従来の方法では予備データセットの大きさを一般欠陥の領域より大きくしなければならない。それに伴って、所要の演算も増えなければならない。
【０００５】
そのほか、アメリカ特許公開第2004136303号はＤＶＤの最適書き込みパワーを検証する光ディスク装置を開示している。当該光ディスク装置は別々のデータセットから検出されたＰＩエラー数に基づいて最適書き込みパワーを検証するものである。図２を参照する。図２はＤＶＤのＥＣＣ（エラー訂正コード）ブロック１０を表す説明図である。ＥＣＣブロック１０は１８２×２０８バイトＢｉ,ｊを含み、そのうちｉとｊはバイトのアドレスを示す。ＥＣＣブロック１０は１７２×１９２バイトからなるデータ部１２と、１０×２０８バイトからなるＰＩ（パリティーインナー）部１４と、１６×１７２バイトからなるＰＯ（パリティーアウター）部１６とを含む。ＥＣＣブロック１０の各行には１７２バイトのデータと、１７２バイトデータのエラーを検出・修正するための１０バイトのＰＩコードが含まれ、ＥＣＣブロック１０の各行には１９２バイトのデータと、１９２バイトデータのエラーを検出・修正するための１６バイトのＰＯコードが含まれる。ＥＣＣブロック１０の一行に５バイトのエラーが検出されれば、ＰＩエラーが発生する。同じく、ＥＣＣブロック１０の一列に８バイトのエラーが検出されれば、ＰＯエラーが発生する。バイトエラー率が１×１０−１（５／１８２）より小さければ、ＰＩエラーは生じにくい。バイトエラー率は一般に１×１０−３を下回っているため、検出されたＰＩエラーで最適書き込みパワーを定めることができない。言い換えれば、従来の技術では、ＰＩコードはＤＶＤの最適書き込みパワーを検証するしかできない。
【０００６】
前記のほか、アメリカ特許第6557126号は、ＣＤの最適書き込みパワーを定める書き込みパワー校正装置を開示している。前記アメリカ特許公開第2004136303号と同じく、本特許による書き込みパワー校正装置は復号手順を実行することによって、種々の書き込みパワーに対応するバイトエラー数を定める。しかし、ＣＤの復号化アルゴリズムの特性に合わせるため、データセットの大きさは一フレーム（例えば記号３２個）を超えなければならない。
【０００７】
総じて言えば、従来の技術は複雑であるのみならず、バイトエラー数を生じさせ最適書き込みパワーを定めるため付加のメモリーユニットと比較ユニットを必要とするので、それより簡単かつ精確な方法が求められている。
【発明の開示】
【発明が解決しようとする課題】
【０００８】
この発明は前述の問題を解決するための書き込みパワー校正装置及び関連方法を提供することを課題とする。
【課題を解決するための手段】
【０００９】
この発明は、データをＤＶＤに書き込むときの最適書き込みパワーを定める書き込みパワー校正方法を提供する。該方法は、各々異なった複数の書き込みパワーで複数の第一データセットをＤＶＤにそれぞれ書き込み、ＤＶＤから読み取られた複数の第二データセットに対しパリティーコード復号手順を行い、第二データセットのパリティーコードに基づいて検出された複数のバイトエラー数を定め、第二データセットの対応する複数のバイトエラー数に基づいて最適書き込みパワーを定めるステップを含む。該第二データセットはＤＶＤに書き込まれた複数の第一データセットに対応する。
【００１０】
この発明は更に、データをＤＶＤに書き込むときの最適書き込みパワーを定める書き込みパワー校正装置を提供する。該装置は、複数の第一データセットをＤＶＤに書き込むレーザーを駆動するために利用される各々異なった複数の書き込みパワーを生成するステップパワー発生器と、ＤＶＤから読み取られた複数の第二データセットに対しパリティーコード復号手順を行い、第二データセットのパリティーコードに基づいて検出された複数のバイトエラー数を定めるパリティーコード復号モジュールと、第二データセットの対応する複数のバイトエラー数に基づいて最適書き込みパワーを定める最適書き込みパワー発生モジュールとを含む。そのうち第二データセットはＤＶＤに書き込まれた複数の第一データセットに対応する。
【発明の効果】
【００１１】
この発明による書き込みパワー校正装置及び関連方法は欠陥クランピングを特長とし、所要のデータセットの大きさも従来の技術より小さい。そのため、この発明はより少ないシステムリソースで最適な書き込みパワーを算出できる。
【発明を実施するための最良の形態】
【００１２】
かかる装置及び方法の特徴を詳述するために、具体的な実施例を挙げ、図を参照して以下に説明する。
【００１３】
この発明はＯＰＣ準拠の書き込みパワー校正方法を掲示する。図３を参照する。図３はこの発明によるＤＶＤ書き込み装置用の書き込みパワー校正方法のフローチャートである。この発明による書き込みパワー校正方法は以下のとおりである。
ステップ１０２：開始。
ステップ１０４：各々異なったｎ種類の書き込みパワーを定める。
ステップ１０６：データセットの大きさをＥＣＣブロックのｍ行と定め、ＥＣＣブロックのｎ×ｍ行に対応するテスト領域を定める。
ステップ１０８：基準書き込みパワーでテスト領域に少なくとも１回光を当てる。
ステップ１１０：ｎ種類の書き込みパワーでデータセットをテスト領域にｎ回書き込む。
ステップ１１２：ＤＶＤに書き込まれたデータセットを読み込んで複数の再生データセットとする。
ステップ１１４：複数の再生データセットに対しパリティーコード復号手順を実行して各再生データセットのパリティーコードを復号し、パリティーコードを利用してバイトエラー数を検出する。
ステップ１１６：バイトエラー数及び相応の書き込みパワーの特性を定める。
ステップ１１８：バイトエラー数の閾値ＢＥＮｔｈを定め、特性と閾値ＢＥＮｔｈに基づき少なくとも一つの書き込みパワーを定める。
ステップ１２０：ステップ１１８で定められた書き込みパワーに基づき最適書き込みパワーを計算する。
ステップ１２２：終了。
この実施例では、基準書き込みパワーはＤＶＤ書き込み装置に保存されるデフォルト値であり、ｎ種類の書き込みパワーを定めるためのものである（ステップ１０４）。その他の実施例では、基準書き込みパワーをＤＶＤのリードイン領域から読み込むことも可能である。
【００１４】
その後、データセットの大きさをＥＣＣブロックのｍ行と定める（ステップ１０６）。したがって、書き込みパワーをテストするためのテスト領域の大きさはＥＣＣブロックのｎ×ｍ行となる。続いて、レーザーを駆動し、テスト領域に対し少なくとも１回当てる（ステップ１０８）。注意すべきは、この実施例では光ディスクとしてＤＶＤ／ＲＷまたはＤＶＤ−ＲＡＭを使うため、精確さを向上させるためにはステップ１０８を欠かせない。もっとも、ＤＶＤ／Ｒを使えば、ステップ１０８を省略できる。
【００１５】
この実施例による方法はｎ種類の書き込みパワーでデータセットをテスト領域にｎ回書き込む（ステップ１１０）。ただし、その他の実施例として、ｎ種類の書き込みパワーでｎ個のデータセットをテスト領域に書き込むことも可能である。続いて、ＤＶＤに書き込まれたデータセットを読み込んで複数の再生データセットとし（ステップ１１２）、更に複数の再生データセットに対しパリティーコード復号手順を実行する（ステップ１１４）。この実施例ではパリティーコードとしてＰＩコードが使われている。ＰＩコード復号はＥＣＣブロックの行ごとに実行されるため、データセットの大きさは最低限ＥＣＣブロックの一行となる。この発明では、データセットの大きさが従来の技術によるものより小さく、更にテスト領域の大きさも決まっているものであるため、従来の技術より多種類の書き込みパワーでデータセットを書き込み、最適書き込みパワー生成の精確さを向上させることができる。
【００１６】
注意すべきは、パリティーコード復号としてＰＩコードに限らず、適切な修正によりＰＯコードを使うことも可能である。
【００１７】
その後、バイトエラー数及び相応の書き込みパワーの特性を定める（ステップ１１６）。図４を参照する。図４はバイトエラー数及び相応の書き込みパワーの特性を表す説明図である。ＤＶＤ書き込みシステムでは閾値ＢＥＮｔｈが予め定められ、そして第一書き込みパワーＰ１はそれに基づいて定められる。すなわち、第一書き込みパワーＰ１に対応するバイトエラー数は閾値ＢＥＮｔｈに等しい。第一書き込みパワーＰ１に所定利得値をかけると、最適書き込みパワーとなる。注意すべきは、第一書き込みパワーＰ１に基づき最適書き込みパワーを生成する方法はこの実施例に限らず、その他の実施例として、第一書き込みパワーＰ１にオフセット値を足すことも可能である。当該所定利得値及びオフセット値はＤＶＤの種類によって調整できる。そのほか、バイトエラー数が閾値ＢＥＮｔｈである第二書き込みパワーＰ２を定め、第一書き込みパワーＰ１と第二書き込みパワーＰ２を平均して最適書き込みパワーを算出することも可能である。もっとも、バイトエラー率と書き込みパワーの特性に基づいて最適書き込みパワーを定めるその他の方法もこの発明の範囲に属する。
【００１８】
ＰＩ符号化に際し、ＥＣＣブロックの各行にはＰＩコードとして１０バイトが付加される。これら１０バイトの復号化が完成されると、Ｐ個の位置既知エラーとＮ個の位置未知エラーは検出されることになる。ＰとＮの制限方程式は（Ｐ＋２Ｎ）≦１０である。説明を簡単にまとめるため、ここでは位置未知エラーのみを説明の対象とし、位置既知エラーを省略とする。ＥＣＣブロックの各行に位置未知エラーが５バイト以上存在していても、５バイトの位置未知エラーのみ検出されるとする。したがって、ＥＣＣブロックの各行の位置未知エラーが５バイトを超えれば、ＰＩ復号手順ではバイトエラー数として、ある所定値（例えば６）が設定されることとなる。図４によれば、バイトエラー数は一定の飽和値を超えない（クランピングと呼ばれる）。言い換えれば、データセットの大きさがＥＣＣブロックの２行であれば、飽和値は１２となる。したがって、この発明による書き込みパワー校正方法は欠陥クランピングの特長を有する。
【００１９】
従来の技術では、テスト領域に欠陥があれば、バイトエラーの連続が生じてくる。このようなバーストエラー（例えば１８３バイトのエラー）は図４に示される特性に大きく影響する。かかる欠陥の影響を軽減すべく、従来の技術では、書き込みパワー校正装置のデータセットの大きさを欠陥の大きさより大きくしなければならない。それと異なり、この発明は欠陥クランピングのみならず、データセットの大きさを縮小できる特長も有する。
【００２０】
前記書き込みパワー校正方法を実現するハードウェア構造は以下のとおりである。図５を参照する。図５はこの発明によるＤＶＤドライブ２００用の書き込みパワー校正装置２５０のブロック図である。図５によれば、ＤＶＤドライブ２００はピックアップヘッド２０１と、レーザーダイオード（ＬＤ）ドライバー２０２と、パワー設定回路２０４と、書き込みパルス発生器２０６と、エンコーダー２０８と、前置増幅器２１０と、書き込みパワー校正装置２５０を含む。ピックアップヘッド２０１、レーザーダイオードドライバー２０２、パワー設定回路２０４、書き込みパルス発生器２０６、エンコーダー２０８ないし前置増幅器２１０の動作はいずれも当業者に周知されているので、ここでそれに関する説明を省略する。
【００２１】
書き込みパワー校正装置２５０はステップパワー発生器２５２と、パリティーコード復号モジュール２５４と、比較ユニット２５６と、最適パワー発生モジュール２５８からなる。ステップパワー発生器２５２はＤＶＤの最適書き込みパワーをテストするための書き込みパワーを生成し、パリティーコード復号モジュール２５４は再生されたパリティーコードを受信し、それに基づいてバイトエラー数を検出する。注意すべきは、パリティーコード復号モジュール２５４はＰＩコードまたはＰＯコードでバイト誤りを検出・修正する。したがって、この実施例は、それを実行するため別途の装置を必要としない。言い換えれば、書き込みパワー校正装置２５０はＤＶＤドライブのコスト増をもたらさない。この実施例では、比較ユニット２５６が複数のデータセットのパリティーコードに基づいて検出された複数のバイトエラー数を受信した後、閾値ＢＥＮｔｈに対応する第一書き込みパワーＰ１及び／または第二書き込みパワーＰ２を選択する。最後に、最適パワー発生モジュール２５８は第一書き込みパワーＰ１及び／または第二書き込みパワーＰ２に基づいて最適な書き込みパワーを計算する。
【００２２】
注意すべきは、その他の実施例では、閾値ＢＥＮｔｈに対応する書き込みパワーがなければ、比較ユニット２５６は閾値ＢＥＮｔｈに近い２個のバイトエラー数を先に選んで書き込みパワーＰ３とＰ４を取得し、続いて比較ユニット２５６は書き込みパワーＰ３とＰ４に基づいて補間法で第一書き込みパワーＰ１及び／または第二書き込みパワーＰ２を計算する。その後、最適パワー発生モジュール２５８は第一書き込みパワーＰ１及び／または第二書き込みパワーＰ２に基づいて最適な書き込みパワーを計算できる。
【００２３】
以上はこの発明に好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【産業上の利用可能性】
【００２４】
この発明による書き込みパワー校正装置及び関連方法は欠陥クランピングを特長とし、所要のデータセットの大きさも従来の技術より小さい。そのため、この発明はより少ないシステムリソースで最適な書き込みパワーを算出できる。
【図面の簡単な説明】
【００２５】
【図１】バイトエラー数及び相応の書き込みパワーの特性を表す説明図である。
【図２】ＤＶＤのＥＣＣブロックを表す説明図である。
【図３】この発明によるＤＶＤ書き込み装置用の書き込みパワー校正方法のフローチャートである。
【図４】バイトエラー数及び相応の書き込みパワーの特性を表す説明図である。
【図５】この発明によるＤＶＤドライブ用の書き込みパワー校正装置のブロック図である。
【符号の説明】
【００２６】
２００      ＤＶＤドライブ
２０１      ピックアップヘッド
２０２      レーザーダイオードドライバー
２０４      パワー設定回路
２０６      書き込みパルス発生器
２０８      エンコーダー
２１０      前置増幅器
２５０      書き込みパワー校正装置
２５２      ステップパワー発生器
２５４      パリティーコード復号モジュール
２５６      比較ユニット
２５８      最適パワー発生モジュール
【図１】
2007018685.tif 000003
【図２】
2007018685.tif 000004
【図３】
2007018685.tif 000005
【図４】
2007018685.tif 000006
【図５】
2007018685.tif 000007